(57)【要約】【課題】屋外に設けられて人センサを有する照明器具と、屋内に設けられている照明器具とを連動させることのできる照明装置を提供する。【解決手段】屋外に設けられて人を検知可能な人センサ２１を有する人センサ付き照明器具２０と、屋内に設けられて制御ブロック４１を有する屋内照明器具４０とが連動するので、人センサ付き照明器具２０が人を検知した際に屋内照明器具４０を制御して点灯等させることができ、防犯効果を向上させることができる。【選択図】図１
2010033751.tif 000002
【特許請求の範囲】
【請求項１】
屋外に設けられて人を検知可能な人センサを有する人センサ付き照明器具と、
屋内に設けられて制御ブロックを有する屋内照明器具と、が連動することを特徴とする照明システム。
【請求項２】
前記人センサ付き照明器具は、前記人センサの検知信号による前記屋内照明器具の点灯動作を行わない通常モードと、前記人センサの検知信号によって前記屋内照明器具の点灯動作を行う防犯モードと、を有することを特徴とする請求項１記載の照明システム。
【請求項３】
屋外に設けられて人を検知可能な人センサ付き照明器具と有線の信号線により接続され屋内に設けられた赤外線装置と、
屋内に設けられ制御ブロックを有する屋内照明器具と、を有し、
前記赤外線装置に設けられている赤外線リモコンにより前記屋内照明器具に信号を送って当該屋内照明器具を制御することを特徴とするリモコン式照明装置。
【請求項４】
前記赤外線リモコンは、前記赤外線装置に取り付けられた状態で、充電可能であるとともに前記制御ブロックに制御信号を送信可能であることを特徴とする請求項３記載のリモコン式照明装置。
【請求項５】
前記人センサ付き照明器具は、前記人センサの検知信号による前記屋内照明器具の点灯動作を行わない通常モードと、前記人センサの検知信号によって前記屋内照明器具の点灯動作を行う防犯モードと、を有することを特徴とする請求項３または請求項４に記載のリモコン式照明装置。
【請求項６】
前記人センサが人を検知すると、検知信号が前記赤外線リモコンに送られて前記屋内照明器具を点灯させるとともに、所定時間経過後に前記屋内照明器具を消灯させることを特徴とする請求項３〜請求項５のいずれかに記載のリモコン式照明装置。
【発明の詳細な説明】
【技術分野】
【０００１】
本発明は、照明装置に関するものである。
【背景技術】
【０００２】
従来より、屋内外の照明器具をリモコンで操作する照明システムが提案されている（例えば特許文献１参照）。
図６に示すように、特許文献１に記載の照明システム１００では、建物１０１内に制御器１０２Ａ〜１０２Ｄが設置され、建物１０１外に制御器１０２Ｅが設置されており、各制御器１０２Ａ〜１０２Ｅには照明器具１０３Ａ〜１０３Ｅ（１０３Ｅａおよび１０３Ｅｂ）が有線で接続されている。リモコン１０４は、照明器具１０３Ａ〜１０３Ｅを点灯制御するための操作信号Ｒを、制御器１０２Ａ〜１０２Ｅに送信する。各制御器１０２Ａ〜１０２Ｅは、操作信号Ｒに含まれる点灯命令に基づいて、照明器具１０３Ａ〜１０３Ｅを点灯させる。
【０００３】
なお、屋外の制御器１０２Ｅには、人を検知する人センサ１０５を設けることができ、人センサ１０５が不審者を検知した場合には、制御器１０２Ｅに接続された照明器具１０３Ｅｂをフラッシュ点灯させて不審者を威嚇したり、他の制御器１０２Ａ〜１０２Ｄに信号を送信して、部屋の照明器具１０３Ａ〜１０３Ｄを点灯させて知らせることができる。
【特許文献１】特開２００８−２７８２２号公報（第９図）
【発明の開示】
【発明が解決しようとする課題】
【０００４】
ところで、前述したように照明装置に防犯機能を持たせる場合には、防犯機能をオンとした防犯モードと、防犯機能をオフとした通常モードとを選択可能とし、屋外に設けられて人センサを有する照明器具と、屋内に設けられている照明器具とを連動させることが望まれている。
【０００５】
本発明は、前述した要望に応えるためになされたもので、屋外に設けられて人センサを有する照明器具と、屋内に設けられている照明器具とを連動させることのできる照明装置を提供することを目的とする。
【課題を解決するための手段】
【０００６】
本発明の照明システムは、屋外に設けられて人を検知可能な人センサを有する人センサ付き照明器具と、屋内に設けられて制御ブロックを有する屋内照明器具と、が連動する構成を有している。
【０００７】
この構成により、屋外に設けられて人を検知可能な人センサを有する人センサ付き照明器具と、屋内に設けられて制御ブロックを有する屋内照明器具とが連動するので、人センサ付き照明器具が人を検知した際に屋内照明器具を制御して点灯等させることができ、防犯効果を向上させることができる。
【０００８】
また、本発明の照明システムでは、前記人センサ付き照明器具は、前記人センサの検知信号による前記屋内照明器具の点灯動作を行わない通常モードと、前記人センサの検知信号によって前記屋内照明器具の点灯動作を行う防犯モードと、を有する構成を有している。
【０００９】
この構成により、屋内照明器具は、通常モードのときは、人センサからの検知信号を制御ブロックが受信しても新たな点灯動作を行わず、通常の点灯等が行われる。一方、防犯モードのときは、制御ブロックは人センサからの検知信号に基づいて、屋内照明器具を点灯等させて、人が検知されたことを知らせる。
【００１０】
また、本発明のリモコン式照明装置は、屋外に設けられて人を検知可能な人センサ付き照明器具と有線の信号線により接続され屋内に設けられた赤外線装置と、屋内に設けられ制御ブロックを有する屋内照明器具と、を有し、前記赤外線装置に設けられている赤外線リモコンにより前記屋内照明器具に信号を送って当該屋内照明器具を制御する構成を有している。
【００１１】
この構成により、屋外に設けられている人センサ付き照明器具が人を検知すると、検知信号は有線の信号線によって、屋内に設けられている赤外線装置に送られる。赤外線装置は、赤外線リモコンによって屋内照明器具の制御ブロックに信号を送り、制御ブロックは送られてきた信号に基づいて、選択されたモードに従って屋内照明器具を制御して、点灯等を行う。
【００１２】
また、本発明のリモコン式照明装置では、前記赤外線リモコンは、前記赤外線装置に取り付けられた状態で、充電可能であるとともに前記制御ブロックに制御信号を送信可能である構成を有している。
【００１３】
この構成により、赤外線装置に取り付けられた状態の赤外線リモコンは、常に、充電された状態なので、電池切れや、交換等を考慮する必要がなく、常に、屋内照明器具の制御ブロックに制御信号を発することができる。
【００１４】
また、本発明のリモコン式照明装置では、前記人センサ付き照明器具は、前記人センサの検知信号による前記屋内照明器具の点灯動作を行わない通常モードと、前記人センサの検知信号によって前記屋内照明器具の点灯動作を行う防犯モードと、を有する構成を有している。
【００１５】
この構成により、屋内照明器具は、通常モードのときは、人センサからの検知信号を制御ブロックが受信しても新たな点灯動作を行わず、通常の点灯等が行われる。一方、防犯モードのときは、制御ブロックは人センサからの検知信号に基づいて、屋内照明器具を点灯等させて、人が検知されたことを知らせる。
【００１６】
さらに、本発明のリモコン式照明装置は、前記人センサが人を検知すると、検知信号が前記赤外線リモコンに送られて前記屋内照明器具を点灯させるとともに、所定時間経過後に前記屋内照明器具を消灯させる構成を有している。
【００１７】
この構成により、人センサによる検知信号に基づいて、制御ブロックは、屋内照明装置を点灯等させた後、所定時間経過したら屋内照明装置を消灯させる。
【発明の効果】
【００１８】
本発明は、屋外に設けられて人を検知可能な人センサを有する人センサ付き照明器具と、屋内に設けられて制御ブロックを有する屋内照明器具とが連動するので、人センサ付き照明器具が人を検知した際に屋内照明器具を制御して点灯等させることができ、防犯効果を向上させることができるという効果を有する照明装置を提供することができるものである。
【発明を実施するための最良の形態】
【００１９】
以下、本発明の実施の形態の照明システムおよびリモコン式照明器具について、図面を用いて説明する。
図１は本発明の実施の形態にかかる照明システムの全体図、図２は人センサ付き照明器具の分解斜視図、図３は赤外線装置の斜視図、図４（Ａ）〜（Ｄ）は通常モードにおける点灯状態を示す説明図、図５（Ａ）〜（Ｇ）は防犯モードにおける点灯状態を示す説明図である。
【００２０】
図１に示すように、本発明にかかる照明システム１０においては、建物１１の外（屋外）に人を検知可能な人センサ２１を有する人センサ付き照明器具２０が設けられている。また、建物１１の内部（屋内）には、リモコン式照明器具３０が設けられている。
【００２１】
図２に示すように、人センサ付き照明器具２０は、例えば、有底円筒形状をした器具本体２２の外側に、人を検知する人センサ２１や、周囲の明るさを検知する明るさセンサ（図示省略）が設けられている。また、器具本体２２の内部には、光源であるランプ２３ａを交換可能に取り付けるソケット２３、調整ツマミ２４、制御部２５、リモコン受光部２６、等が設けられており、信号線用端子２７を介して信号線１２に接続される。調整ツマミ２４は、後述する各モードにおいて、点灯する周囲の明るさ、お出迎え終了時間、点灯保持時間等を調整する。また、制御部２５は、人センサ２１からの検知信号に基づいてランプ２３ａを所定のモードに制御する。なお、器具本体２２の前面には、カバー２８が着脱可能に設けられている。
【００２２】
また、例えばカード型リモコン２９が付随しており、後述する防犯モード、通常モード、連続点灯モード等の切替えを行うモード切替ボタン２９ａが設けられている。従って、モードの切替えを行う場合には、カード型リモコン２９のモード切替ボタン２９ａを押して、切替え信号Ｒ２をリモコン受光部２６に向かって送信することにより行う。なお、図示はしないが人センサ付き照明器具２０にスイッチを設けて、このスイッチを操作することにより常に通常モードとなるようにし、防犯モードに切り替える場合には常にカード型リモコン２９で操作するようにすることもできる。
【００２３】
リモコン式照明器具３０は、有線の信号線１２により人センサ付き照明器具２０と接続され屋内に設けられた赤外線装置３１と、屋内に設けられ制御ブロック４１を有する屋内照明器具４０とを有している。赤外線装置３１には、赤外線リモコン３２が着脱可能に設けられており、赤外線リモコン３２から発信された制御信号Ｒを制御ブロック４１が受信して、屋内照明器具４０の点灯等を行う。なお、屋内照明器具４０は複数個設けることができ、１台の赤外線リモコン３２によって制御することが可能である。
【００２４】
図３に示すように、赤外線装置３１は、例えば壁１３に取り付けられ、内部に充電部３３を有している。従って、赤外線リモコン２１を赤外線装置３１に取り付けると、充電部３３が赤外線リモコン２１の充電端子（図示省略）と導通し、常に充電状態となる。赤外線リモコン３２には、防犯モード、通常モード、連続点灯モード等を切り替えるモード切替スイッチ３４、信号の送信を行う送信スイッチ３５等が設けられている。なお、赤外線装置３１は、赤外線装置３１に取り付けられている状態の赤外線リモコン３２が送信したときに、信号が屋内照明器具４０の制御ブロック４１に到達する位置に取り付ける。
【００２５】
従って、赤外線装置３１に取り付けられた状態の赤外線リモコン３２は、常に、充電された状態なので、電池切れや、交換等を考慮する必要がなく、常に、屋内照明器具４０の制御ブロック４１に制御信号を発することができる。
【００２６】
このように構成することにより、屋外に設けられている人センサ２１が人（不審者）を検知すると、検知信号が信号線１２を介して赤外線装置３１に伝達され、赤外線装置３１に取り付けられているリモコン３２が制御信号Ｒを屋内照明器具４０の制御ブロック４１に発して、点灯等を行うようになっており、屋外の人センサ付き照明器具２０と屋内照明器具４０とが連動するようになっている。
【００２７】
次に、各モードにおける動作を説明する。
【００２８】
（通常モード）
通常モードにおいては、屋外の人センサ付き照明器具２０からの信号にかかわらず、屋内照明器具４０は点灯等させないで、人センサ付き照明器具２０のみが点灯等させる。
すなわち、図４（Ａ）に示すように、周囲が設定した明るさよりも暗くなると、人センサ付き照明器具２０のランプ２３を、例えば２０％の明るさで、ほんのりお出迎え点灯させる。従って、周囲が明るい昼間は点灯しない。この状態で、図４（Ｂ）に示すように、人が近づいて人センサ２１により検知されると、１００％の明るさで点灯させ、図４（Ｃ）に示すように、人が離れて人センサ２１により検知されないようになると、再びほんのりお出迎え点灯する。そして、図４（Ｄ）に示すように、お出迎え終了時間になると消灯させる。この後、人センサ２１が人を検知すると、ランプ２３ａを、１００％の明るさで点灯させて、人を検知したことを知らせる。
なお、お出迎え終了時間の調整により、朝までほんのりお出迎え点灯を継続することもできる。
【００２９】
（防犯モード）
防犯モードにおいては、屋外の人センサ付き照明器具２０からの信号を受けて、屋内照明器具４０を連動して動作させる。
すなわち、周囲が明るい昼間においては、図５（Ａ）に示すように、人が接近して人センサ２１により検知されると、検知信号は信号線１２を介して屋内の赤外線装置３１に伝達される。これにより、赤外線リモコン３２から屋内照明器具４０に信号が発せられ、屋内照明器具４０を点灯して、人を検知したことを知らせる。そして、図５（Ｂ）に示すように、人が離れて、人センサ２１が人を検知しなくなると、屋内照明器具４０を消灯する。なお、周囲が明るいので、人センサ付き照明器具２０は点灯しない。
【００３０】
一方、周囲が暗い夜間の場合には、図５（Ｃ）に示すように、周囲が設定した明るさよりも暗くなると、人センサ付き照明器具２０のランプ２３を、例えば２０％の明るさで、ほんのりお出迎え点灯させる。この状態で、図５（Ｄ）に示すように、人が近づいて人センサ２１により検知されると、屋外の人センサ付き照明器具２０を１００％の明るさで点灯させるとともに、屋内照明器具４０も１００％の明るさで点灯させる。そして、図５（Ｅ）に示すように、人が離れて人センサ２１により検知されないようになると、再びほんのりお出迎え点灯する。その後、図５（Ｆ）に示すように、お出迎え終了時間になると、人センサ付き照明器具２０を消灯させるが、図５（Ｇ）に示すように、人センサ２１が人を検知すると、人センサ付き照明器具２０および屋内照明器具４０を、１００％の明るさで点灯させて、人を検知したことを知らせる。
【００３１】
（連続点灯モード）
周囲が所定の明るさよりも暗くなった場合に、人センサつき照明器具２０のランプ２３ａを、所定の明るさで、継続して点灯させる。この場合には、屋内照明器具４０は、屋外の人センサ付き照明器具２０と連動しない。
【００３２】
以上、説明した本発明にかかる照明システム１０によれば、屋外に設けられて人を検知可能な人センサ２１を有する人センサ付き照明器具２０と、屋内に設けられて制御ブロック４１を有する屋内照明器具４０とが連動するので、人センサ付き照明器具２０が人を検知した際に、屋内照明器具４０を制御して点灯等させることができ、防犯効果を向上させることができる。
【００３３】
また、本発明のリモコン式照明器具３０によれば、屋外に設けられている人センサ付き照明器具２０が人を検知すると、検知信号は有線の信号線１２によって、屋内に設けられている赤外線装置３１に送られる。赤外線装置３１は、赤外線リモコン３２によって屋内照明器具４０の制御ブロック４１に信号を送り、制御ブロック４１は送られてきた信号に基づいて、選択されたモードに従って屋内照明器具４０を制御して、点灯等を行うので、防犯効果を向上させることができる。
【００３４】
なお、本発明の照明装置は、前述した実施形態に限定されるものでなく、適宜な変形，改良等が可能である。
例えば、前述した実施形態においては、防犯モードにおいて、人センサ２１が人を検知した際に、人センサ付き照明器具２０および屋内照明器具４０を１００％の明るさで点灯させる場合を例示したが、その他、人センサ付き照明器具２０および屋内照明器具４０を点滅させて、人を検知したことを知らせるとともに、不審者を威嚇するようにしてもよい。
【図面の簡単な説明】
【００３５】
【図１】本発明の実施の形態にかかる照明装置の全体図
【図２】人センサ付き照明器具の分解斜視図
【図３】赤外線装置の斜視図
【図４】（Ａ）〜（Ｄ）は通常モードにおける点灯状態を示す説明図
【図５】（Ａ）〜（Ｇ）は防犯モードにおける点灯状態を示す説明図
【図６】従来の照明システムの構成図
【符号の説明】
【００３６】
１０  照明システム
１２  信号線
２０  人センサ付き照明器具
２１  人センサ
３０  リモコン式照明装置
３１  赤外線装置
３２  赤外線リモコン
４０  屋内照明器具
４１  制御ブロック
【図１】
2010033751.tif 000003
【図２】
2010033751.tif 000004
【図３】
2010033751.tif 000005
【図４】
2010033751.tif 000006
【図５】
2010033751.tif 000007
【図６】
2010033751.tif 000008